(57)【要約】 【課題】  ラベルシートの二次利用を可能とし、ラベルシートの利用価値を高める。【解決手段】  ラベルシート本体２０は、片面に粘着層２２を有し、この粘着層２２を介して剥離シート３０に剥離可能に重ね合わされる。ラベルシート本体２０には、閉じたループ状をなすラベル分断スリット２４が形成され、このラベル分断スリット２４により複数枚の親ラベル２５が周囲から切り離し可能とされる。親ラベル２５には、閉じたループ状をなす第１スリット２８が形成され、この第１スリット２８により子ラベル２６が親ラベル２５から切り離し可能とされる。剥離シート３０には、第１スリット２８の外側を取り巻くように第２スリット３４が形成される。子ラベル２６の粘着層２２には、ＩＣタグ４０が埋め込まれている。【選択図】  図４
2006201681.tif 000002
【特許請求の範囲】
【請求項１】
片面に粘着層を有するラベル本体に、その粘着層に剥離シートを重ね合わせてなるものにおいて、
前記ラベル本体には、ここからその一部を前記粘着層とともに切り離すための閉じたループ状をなす第１スリットが形成されるとともに、前記剥離シートには、前記第１スリットの外側を取り巻くように第２スリットが形成され、前記剥離シートのうち前記第２スリットの外側領域を剥がし取ることにより露出される前記粘着層によって前記ラベル本体を前記剥離シートのうち前記第２スリットの内側領域とともに所要箇所に貼着可能とし、かつ、その貼着状態で前記ラベル本体のうち前記第１スリットの内側領域を前記剥離シートのうち前記第２スリットの内側領域から剥離可能としたことを特徴とする粘着ラベル。
【請求項２】
片面に粘着層を有するラベルシート本体に、その粘着層に剥離シートを重ね合わせてなり、前記ラベルシート本体にラベル分断スリットを形成して複数枚のラベル本体を引き剥がし可能にしたものにおいて、
前記各ラベル本体には、ここからその一部を前記粘着層とともに切り離すための閉じたループ状をなす第１スリットが形成されるとともに、前記剥離シートには、前記第１スリットの外側を取り巻くように第２スリットが形成され、前記剥離シートのうち前記第２スリットの外側領域を剥がし取ることにより露出される前記粘着層によって前記ラベル本体を前記剥離シートのうち前記第２スリットの内側領域とともに所要箇所に貼着可能とし、かつ、その貼着状態で前記ラベル本体のうち前記第１スリットの内側領域を前記剥離シートのうち前記第２スリットの内側領域から剥離可能としたことを特徴とするラベルシート。
【請求項３】
前記ラベル本体のうち前記第１スリットの内側領域には、コンピュータ読み取り可能な情報記録手段が設けられていることを特徴とする請求項２に記載のラベルシート。
【請求項４】
前記情報記録手段は、ＩＣタグであることを特徴とする請求項３に記載のラベルシート。
【請求項５】
前記ＩＣタグには、前記ラベルシート本体内における前記ラベル本体の位置に応じて、それぞれ異なるラベル識別符号が記録されていることを特徴とする請求項４に記載のラベルシート。
【請求項６】
前記情報記録手段の全部または一部が、前記ラベル本体のうち前記第１スリットの内側領域に対応する粘着層に埋め込まれていることを特徴とする請求項３ないし請求項５のいずれかに記載のラベルシート。
【請求項７】
前記ラベル本体には、情報表示領域が設けられ、前記情報記録手段は、前記情報表示領域に表示される情報と関連付けした識別情報が記録可能とされていることを特徴とする請求項３ないし請求項６のいずれかに記載のラベルシート。
【発明の詳細な説明】
【技術分野】
【０００１】
本発明は、粘着ラベル及びラベルシートに関する。
【背景技術】
【０００２】
従来より、ラベルシートとして、特許文献１に記載のものが知られている。このものは、剥離シートとラベルシート本体とが粘着層を介して重なり合った構造とされ、ラベルシート本体に、ラベルを粘着層とともに切り離すためのラベル分断用のスリットが形成されている。
ラベルは、スリットに沿って周囲から切り離されるとともに剥離シートから剥ぎ取られ、その後、所要箇所に粘着層を介して貼り付けられるようになっている。このラベルには、プリンタにより所定情報を印字することができる。
【特許文献１】特開平９−４８１８８号公報
【発明の開示】
【発明が解決しようとする課題】
【０００３】
ところで、この種のラベルシートを使用する一例として、展示会の招待状を印刷した葉書に受取人の宛名が記入されたラベルを貼り付け、この葉書を受取人に郵送するケースがあげられる。この場合に受取人は、指定された展示会場に赴いて受付で自身の氏名を記帳したり名刺を渡す等し、この名刺等に基づいて主催者側が管理する招待客情報と照らし合わされる。しかし、照合作業に手間取ると、受取人が煩わしさを感じ、不快な思いをすることになる。
【０００４】
そのため、受取人が招待状を受け取ったときに、受取人側でラベル情報の二次利用を可能とすることにより、照合作業等を円滑かつ迅速に済ませることができるラベルシート及び粘着ラベルの開発が求められる。
本発明は上記のような事情に基づいて完成されたものであって、その目的とするところは、ラベル情報の二次利用を可能とし、その利用価値を高めることにある。
【課題を解決するための手段】
【０００５】
上記の目的を達成するための手段として、請求項１の発明は、片面に粘着層を有するラベル本体に、その粘着層に剥離シートを重ね合わせてなるものにおいて、前記ラベル本体には、ここからその一部を前記粘着層とともに切り離すための閉じたループ状をなす第１スリットが形成されるとともに、前記剥離シートには、前記第１スリットの外側を取り巻くように第２スリットが形成され、前記剥離シートのうち前記第２スリットの外側領域を剥がし取ることにより露出される前記粘着層によって前記ラベル本体を前記剥離シートのうち前記第２スリットの内側領域とともに所要箇所に貼着可能とし、かつ、その貼着状態で前記ラベル本体のうち前記第１スリットの内側領域を前記剥離シートのうち前記第２スリットの内側領域から剥離可能としたところに特徴を有する。
【０００６】
請求項２の発明は、片面に粘着層を有するラベルシート本体に、その粘着層に剥離シートを重ね合わせてなり、前記ラベルシート本体にラベル分断スリットを形成して複数枚のラベル本体を引き剥がし可能にしたものにおいて、前記各ラベル本体には、ここからその一部を前記粘着層とともに切り離すための閉じたループ状をなす第１スリットが形成されるとともに、前記剥離シートには、前記第１スリットの外側を取り巻くように第２スリットが形成され、前記剥離シートのうち前記第２スリットの外側領域を剥がし取ることにより露出される前記粘着層によって前記ラベル本体を前記剥離シートのうち前記第２スリットの内側領域とともに所要箇所に貼着可能とし、かつ、その貼着状態で前記ラベル本体のうち前記第１スリットの内側領域を前記剥離シートのうち前記第２スリットの内側領域から剥離可能としたところに特徴を有する。
【０００７】
請求項１または請求項２に記載の粘着ラベルまたはラベルシートにおいて、前記ラベル本体のうち前記第１スリットの内側領域には、コンピュータ読み取り可能な情報記録手段を設けてもよい（請求項３の発明）。
【０００８】
請求項４の発明は、請求項３に記載のものにおいて、前記情報記録手段は、ＩＣタグであるところに特徴を有する。
【０００９】
請求項５の発明は、請求項４に記載のものにおいて、前記ＩＣタグには、前記ラベルシート本体内における前記ラベル本体の位置に応じて、それぞれ異なるラベル識別符号が記録されているところに特徴を有する。
【００１０】
請求項６の発明は、請求項３ないし請求項５のいずれかに記載のものにおいて、前記情報記録手段の全部または一部が、前記ラベル本体のうち前記第１スリットの内側領域に対応する粘着層に埋め込まれているところに特徴を有する。
【００１１】
請求項７の発明は、請求項３ないし請求項６のいずれかに記載のものにおいて、前記ラベル本体には、情報表示領域が設けられ、前記情報記録手段は、前記情報表示領域に表示される情報と関連付けした識別情報が記録可能とされているところに特徴を有する。
【発明の効果】
【００１２】
＜請求項１及び請求項２の発明＞
剥離シートのうち第２スリットの外側領域を剥がし取ることにより露出される粘着層によってラベル本体を剥離シートのうち第２スリットの内側領域とともに貼着対象に貼り付け、この貼着状態でラベル本体のうち第１スリットの内側領域を剥離シートのうち第２スリットの内側領域から剥離して他の貼付対象に再び貼り付けることができる。したがって、例えば、送り人から受取人に送付物を送る場合に、この送付物にラベル本体を貼り付けるようにすれば、受取人側で第１スリットの内側領域を剥ぎ取って別の貼着対象に貼り付ける等の二次利用が可能となる。また、請求項２の発明によれば、１枚のラベルシートから上記構成の粘着ラベルを複数枚作ることができる。
【００１３】
＜請求項３の発明＞
第１スリットの内側領域に設けられた情報記録手段から識別情報をコンピュータで読み取ることが可能であるから、情報記録手段に記録された識別情報を自動認識して照合作業等を円滑かつ迅速に行うことができる。情報記録手段としては、ＩＣタグやＩＣチップの他、印刷によって形成したバーコードやコード番号等があげられる。
【００１４】
＜請求項４の発明＞
情報記録手段がＩＣタグであるから、ラベル本体のうち第１スリットの内側領域に書き込まれている情報を無線通信により非接触で読み取ることが可能となる。また、バーコードに比べて大量の情報を記録させることができる。
【００１５】
＜請求項５の発明＞
ＩＣタグに、ラベルシート本体内におけるラベル本体の位置に応じて異なるラベル識別符合を予め生産元で入力しておくことにより、使用者側がＩＣタグライターを制御してラベル本体に表示等される情報に対応する識別コードをＩＣタグに記録することができる。
【００１６】
＜請求項６の発明＞
情報記録手段の全部または一部を覆うように粘着層を塗布するだけで、情報記録手段をラベル本体のうち第１スリットの内側領域に対応する粘着層に簡単に埋め込むことができる。
【００１７】
＜請求項７の発明＞
本発明に係るラベルシートの使用方法として、例えば、配送物に貼り付ける場合がある。この場合、送り人は、予めラベル本体の情報表示領域に受取人の住所や氏名を記入もしくはプリンタ印字しておくとともに、第１スリットの内側領域に情報表示領域に表示される情報と関連付けした識別情報を記録させる。そして、ラベル本体を剥離シートから剥ぎ取って配送物に貼り付け、この配送物を受取人に対し展示会の招待状等として送付する。次に、その配送物を受け取った受取人は、ラベル本体から第１スリットの内側領域を切り離して自身の名刺等に貼り付ける。その後、受取人が名刺等を持参して指定された展示会場に赴けば、展示会場への入場時、ラベル本体のうち第１スリットの内側領域に設けられた情報記録手段から受取人の識別情報が機械的に読み取られる。したがって、展示会場において、照合のための待ち時間をなくすことができる。
【発明を実施するための最良の形態】
【００１８】
＜実施形態１＞
本発明の実施形態１を図１ないし図４によって説明する。本実施形態に係るラベルシート１０は、配送物５０にラベルを貼り付ける際に使用される場合を例示するものであり、まずはその構造について説明する。
【００１９】
ラベルシート１０は、図４に示すように、大まかにはラベルシート本体２０と剥離シート３０との積層構造とされる。ラベルシート本体２０と剥離シート３０とは、いずれも矩形状の紙等を主たる構成とし、互いの外縁が合致して全体としてＡ４サイズで構成される。
【００２０】
剥離シート３０は基材３１とその表面に積層される剥離層３２とからなり、剥離層３２はシリコン等の剥離剤を基材３１の表面に塗布することで形成される。
ラベルシート本体２０は、本体基材２１とその裏面に積層される粘着層２２とからなり、粘着層２２は、本体基材２１の裏面全体をほぼ一定厚みで覆うようにして、通常使用される糊等の粘着剤をそこに塗布することで形成される。この粘着層２２には剥離層３２が重ね合わされ、両者の境界面で互いに剥離可能とされる。
【００２１】
また、ラベルシート本体２０には、本体基材２１から粘着層２２に達する深さの切り込みによって略矩形状に閉じた形態をなすラベル分断スリット２４が形成されている。このラベル分断スリット２４に囲まれて、複数枚の親ラベル２５（本発明のラベル本体に相当）が周囲から切り離し可能に形成されている。親ラベル２５は、図１に示すように、ラベルシート本体２０の短辺方向に左右一対が並んで配置されるとともにラベルシート本体２０の長辺方向に複数枚が整列状に並んで配置され、長辺方向に隣接する者同士は、一のラベル分断スリット２４により間をあけることなく区画されている。親ラベル２５の表面のうち、後述する子ラベル２６よりも外側領域には、配送先となる受取人の住所や氏名等の宛名情報を筆記による記入またはプリンタ印字するための情報表示領域２７が設けられている（図３参照）。
【００２２】
ラベルシート本体２０のうちラベル分断スリット２４の内側領域には、同じく本体基材２１から粘着層２２に達する深さの切り込みによって、ラベルシート本体２０の短辺方向に細長く延びてループ状に閉じた形態をなす第１スリット２８が形成されている。親ラベル２５のうち、第１スリット２８に囲まれる領域は、残りの領域から切り離し可能な子ラベル２６（本発明においてラベル本体のうち第１スリットの内側領域に相当）として構成される。子ラベル２６は、親ラベル２５と互いの表裏両面を面一で連ねて、親ラベル２５のうちの図１に示す上側領域に配置されている。後に詳述するが、子ラベル２６には、親ラベル２５の情報表示領域２７に表示された情報と関連付けした情報を固定することが可能とされる。
【００２３】
剥離シート３０には、ラベル分断スリット２４が囲む領域の内側で、かつ、第１スリット２８が囲む領域の外側と対応する位置に、子ラベル２６用の剥離シートを構成する部分（以下、補助剥離シート部３３という）を周囲から切り離すための第２スリット３４が形成されている。第２スリット３４は、基材３１から剥離層３２に達する深さの切り込みによって剥離シート３０の短辺方向に細長く延びてループ状に閉じた形態をなし、第１スリット２８の外側を取り巻くように第１スリット２８よりも一回り大きく形成されている。
【００２４】
親ラベル２５が剥離シート３０から剥ぎ取られる際には、この親ラベル２５とともに補助剥離シート部３３が周囲から切り離される。したがって、粘着層２２のうち補助剥離シート部３３よりも外側領域は、露出した状態となっており、この粘着層２２によって親ラベル２５を補助剥離シート部３３とともに配送物５０に貼り付けることができるようになっている。さらに、この貼着状態にある親ラベル２５から子ラベル２６を切り離すとともに補助剥離シート部３３から剥ぎ取ることができるようになっている。
【００２５】
さて、子ラベル２６の粘着層２２には情報記録手段としてのＩＣタグ４０が埋め込まれている。ＩＣタグ４０は、ゴマ粒大のＩＣチップとアンテナ等の無線通信機能部（図示せず）とを一体化して形成された周知の構成である。ＩＣチップは、集積回路として形成され、そのメモリ領域には所要の情報が記録可能とされており、次に述べるように、個々の子ラベル２６毎に、親ラベル２５の情報表示領域２７に表示される情報と関連付けした識別情報（宛名識別コード）が記録可能である。
【００２６】
すなわち、ＩＣタグ４０には、ラベルシート本体２０内における各親ラベル２５の位置に応じて、個々の子ラベル２６毎に、例えば[00],[01],[02],…とした異なる識別番号等のラベル識別符合が予め生産元で入力してある。そして、使用者は、ラベルシート本体２０の各親ラベル２５の情報表示領域２７にプリンタにて宛名等を印刷した後、あるいはそれに先立ち、周知のＩＣタグライタによって、各子ラベル２６のＩＣタグ４０には上記宛名に対応する識別コードを記録する。このとき、プリンタの制御プログラムは、ラベルシート本体２０内における各親ラベル２５の位置に応じてどの情報を印字するかを把握しているから、そのプリンタ制御プログラムが印字した情報と親ラベル２５の位置に応じたラベル識別符号とを関連付けて出力する印字位置識別手段を有しているなら、その情報を受けてＩＣタグライターを制御することで親ラベル２５の情報表示領域２７に表示される情報に対応する宛名識別コードをＩＣタグ４０に記録することができる。
【００２７】
ＩＣタグ４０は、子ラベル２６に対応する粘着層２２に接着され、その一部が剥離層３２との境界面に臨むようになっている。したがって、子ラベル２６が補助剥離シート部３３から剥ぎ取られると、ＩＣタグ４０の一部が露出した状態となる。
【００２８】
次に、本実施形態に係るラベルシート１０の使用方法について説明する。本実施形態では、特に配送物５０として展示会の招待状（葉書や封書）に適用する場合について説明する。はじめに送り人がラベルシート１０を使用する場合、送り人は、まず個々の親ラベル２５の情報表示領域２７に、対応する受取人の氏名や住所等の宛名情報をプリンタにより印刷する。また、送り人は、子ラベル２６のＩＣタグ４０に予め入力されているラベル識別符号と対応して、コンピュータのデータベースに親ラベル２５に表示した宛名情報と関連付けした識別情報を記録する。さらに、送り人は、子ラベル２６の表面または親ラベル２５の表面に、受取人側で子ラベル２６を剥がしてほしい旨の使用方法に関する注意書きをプリンタ印字しておくとよい。
【００２９】
続いて、親ラベル２５をラベル分断スリット２４に沿って周囲から切り離すとともに剥離シート３０から剥ぎ取る。このとき、ラベル分断スリット２４から粘着層２２の裏面を通して第２スリット３４に亘る範囲に段付状の切れ目が形成されているから、この切れ目に沿って補助剥離シート部３３が親ラベル２５とともに周囲から切り離される（図４（Ｂ）参照）。剥離シート３０には、補助剥離シート部３３が抜けた孔３５が形成されることになる。
【００３０】
剥ぎ取られた親ラベル２５は、補助剥離シート部３３の貼付領域を除く領域（補助剥離シート部３３の周辺領域）に、粘着層２２を露出させており、この粘着層２２を介して補助剥離シート部３３との積層状態を保ったまま配送物５０の宛名欄等に貼り付けられる。したがって、親ラベル２５が貼着状態にあるときに、子ラベル２６と配送物５０との間には補助剥離シート部３３が介在する（図４（Ｃ）参照）。
【００３１】
配達人は、親ラベル２５に表示された情報表示領域２７から配達先を知り得る。そして、受取人がこのようなラベルが貼り付けられた配送物５０を受け取った場合には、招待状の内容を理解した上で展示会への出席を希望する際に、子ラベル２６の端をつまんで第１スリット２８に沿って子ラベル２６を親ラベル２５から切り離す。すると、子ラベル２６は、粘着層２２に埋め込まれたＩＣタグ４０とともに補助剥離シート部３３から剥ぎ取られる（図４（Ｄ）参照）。
【００３２】
続いて、子ラベル２６を粘着層２２を介して配送物５０とは別の貼着対象に貼り付ける（図４（Ｅ）参照）。この場合の貼着対象は、受取人が展示会に持参するものであり、例えば、受取人の名刺５５が好ましい。なお、この一連の作業は、図３に概略的に示されている。
【００３３】
その後、展示会の開催日に受取人が展示会場に赴くと、その入場時に、持参した名刺５５に貼り付けられた子ラベル２６により、ＩＣタグ４０内の識別番号がリーダにより非接触で読み取られ、これが予めＩＣタグ４０内の識別番号として送り人側のデータベースに登録されている受取人に関する識別情報と照合される。したがって、受取人がリーダの設置箇所の近傍を通過するだけで自動的に認証されるから、展示会場における照合のための待ち時間をなくすことができる。
【００３４】
このように、本実施形態に係るラベルシート１０によれば、配送物５０に貼り付けられた親ラベル２５から子ラベル２６を切り離した後、この子ラベル２６を別の貼着対象に貼り付けることを可能とし、もってラベル情報の二次利用を可能としたから、ラベルシート１０の利用価値を高めることができる。また、かかるラベルシート１０が、ラベルシート本体２０と剥離シート３０とが重なり合った従前の積層パターンで構成されるから、厚み寸法を格別増大させずに済む。
【００３５】
＜実施形態２＞
次に、本発明の実施形態２を図５によって説明する。
実施形態２では、親ラベル２５と子ラベル２６とがいずれも実施形態１よりも大きな略矩形状に形成されている点、及び、子ラベル２６にＩＣチップ等の情報記録手段が設けられていない点で実施形態１と異なる。しかし、ラベルシート１０の基本的構造は実施形態１と同じであるから、構造説明については省略し、以下、ラベルシート１０の使用方法について説明する。
【００３６】
実施形態２に係るラベルシート１０は、ラベルを往復葉書５６に貼り付ける場合を例示するものである。すなわち、まずこの往復葉書５６の送り人は、親ラベル２５の情報表示領域２７に受取人の住所や氏名を筆記による記入もしくはプリンタにより印刷して宛名情報表示部２７Ａを作成するとともに、子ラベル２６の表面にも同じく受取人の住所や氏名を筆記による記入もしくはプリンタにより印刷して宛名情報表示部２６Ａを作成する。そして、親ラベル２５を剥離シート３０から剥ぎ取って往復葉書５６の往信宛先面５６Ａに貼り付け、この往復葉書５６を受取人に送る。
【００３７】
配達人は、親ラベル２５に表示された宛名情報表示部２７Ａから配達先を知り得る。次に、この往復葉書５６を受け取った受取人は、親ラベル２５から子ラベル２６を切り離し、この子ラベル２６を自身の住所や氏名等の宛名情報を表示するための返信内容表示欄５６Ｂに貼り付け、これを返信用葉書で返信する。
【００３８】
実施形態２によれば、子ラベル２６を返信内容表示欄に貼り付けることにより、自身の住所や氏名などが表示されるから、受取人側でそれらを返信内容に筆記で記入する手間が省けるというメリットがある。
【００３９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態１では、子ラベルにＩＣタグが設けられていたが、本発明においては、ＩＣタグの代わりに、子ラベルの表面に、宛名情報と対応付けて符号化したバーコード等を印刷してこれを情報記録部としてもよい。このようにすれば、宛名とバーコードとを同一のプリンタで印刷することができる。
（２）上記実施形態１では、ＩＣタグが子ラベルの粘着層と剥離層との境界面に一部露出していたが、本発明においては、ＩＣタグの全体が子ラベルの粘着層に埋め込まれていてもよい。
（３）上記実施形態では、子ラベルの裏面全体に粘着層が設けられていたが、本発明においては、子ラベルの一端部に粘着剤を塗布しないことにより、子ラベルを補助剥離シート部から剥がし取る際のきっかけを形成してもよい。
（４）上記実施形態では、ラベルシート本体にラベル分断スリットを形成することで複数枚のラベル本体を引き剥がし可能としていたが、本発明においては、片面に粘着層を有するラベル本体に、その粘着層に剥離シートを重ね合わせて一枚の粘着ラベルを構成し、ここから子ラベルを切り離すようにしても構わない。
（５）上記実施形態では、第２スリットが閉じたループ状をなしていたが、本発明においては、第２スリットが閉じることなくその両端が剥離シートの端縁に臨むようになっていてもよい。
（６）上記実施形態では、第１スリット及び第２スリットは周方向に連続して形成されていたが、本発明において、第１スリット及び第２スリットはその内側領域が周囲から切り離し可能であればミシン目あるいは一部に非連続部を有する切れ目として形成されてもよい。
（７）上記実施形態では、ラベル分断スリット及び第１スリットは本体基材から粘着層に達する深さの切り込みを入れて形成されていたが、本発明において、ラベル分断スリット及び第１スリットはそれぞれ親ラベル及び子ラベルが剥離シートから剥離可能であれば本体基材にのみ切り込みを入れて形成されるものであってもよい。
【図面の簡単な説明】
【００４０】
【図１】本発明の実施形態１に係るラベルシートの平面図
【図２】部分拡大斜視図
【図３】その使い方として、親ラベルから子ラベルを切り離して名刺等に貼り付ける過程を示す図
【図４】（Ａ）積層状態を示す部分拡大断面図  （Ｂ）親ラベルを補助剥離シート部とともに剥離シートから剥ぎ取った状態を示す部分拡大断面図  （Ｃ）親ラベルを配送物に貼り付けた状態を示す部分拡大断面図  （Ｄ）子ラベルを親ラベルから切り離した状態を示す部分拡大断面図  （Ｅ）子ラベルを名刺等に貼り付けた状態を示す部分拡大断面図
【図５】（Ａ）本発明の実施形態２に係るラベルシートの使い方として、親ラベルを往復葉書の往信宛先面に貼り付けた状態を示す図  （Ｂ）親ラベルから子ラベルを切り離して返信内容表示欄に貼り付ける過程を示す図
【符号の説明】
【００４１】
１０…ラベルシート
２０…ラベルシート本体
２２…粘着層
２４…ラベル分断スリット
２５…親ラベル（ラベル本体）
２６…子ラベル（ラベル本体のうち第１スリットの内側領域）
２８…第１スリット
３０…剥離シート
３３…補助剥離シート部
３４…第２スリット
４０…ＩＣタグ
５０…配送物
【図１】
2006201681.tif 000003
【図２】
2006201681.tif 000004
【図３】
2006201681.tif 000005
【図４】
2006201681.tif 000006
【図５】
2006201681.tif 000007